(57)【要約】【課題】室内の汚染された空気を植物群から生産される生きている空気に変え、湿度と酸素活性度を人体に最適の水準にすることができる植物を用いた空気浄化器を提供する。【解決手段】中空型フレーム２の外面に多数個の棚３を設けて各種植物４を栽培できるように植木鉢５が載置されるパレット６を備え、前記パレット６上に水筒７から水を湿度センサ１７により自動供給させ、パレット６に給水された水は下部に隣接して設けられるパレット６に自然落水され得るようにし、フレーム２上部には照度センサ１６により作動制御される光照射器１３を設けて反射鏡１４、１２を介して植物４に間接的に光が照射されるようにし、また室内空気をエアフィルター１８によりフィルタリングしてイオン発生器２０を介して陽イオン、陰イオン及びオゾンを供給するようにしたことを特徴とする空気浄化器を提供する。【選択図】図１
0003145848.tif 000002
【実用新案登録請求の範囲】
【請求項１】
中空型フレーム（２）の外面に設けられる多数個の棚（３）と、
前記棚（３）に載置されて植物(４)を栽培できるように植木鉢（５）を設けることができるパレット（６）と、
前記パレット（６）上に供給管（８）を介して水を供給するためにポンプ（９）と水位センサ（１０）を備えた水筒（７）と、
前記フレーム（２）の最上端に設けられたパレット（６）から下部に隣接して設けられたパレット（６）の間に自然落水のために設けられる落水管（１１）と、
前記フレーム（２）の最下端に設けられたパレット（６）から水筒（７）と連通される落水管（１１）と、
前記フレーム（２）の上部に設けられ、数個の放熱孔（１５）と光照射器（１３）が設けられた反射鏡（１２）と、
前記反射鏡（１２）の下部に光照射器（１３）の光が植物（４）に直接的に照射されないように反射させる反射鏡（１４）と、
前記フレーム（２）の上部に設けられて室内照度をセンシングすることができる照度センサ（１６）及び湿度をセンシングすることができる湿度センサ（１７）と、
前記フレーム（２）の上部に設けられてフレーム（２）の内部に吸入される空気中の異物をフィルタリングすることができるエアフィルター（１８）と、
前記エアフィルター（１８）を通過した空気をフレーム（２）の内部に吸入する吸入ファン（１９）と、
前記吸入ファン（１９）を介して流入される空気に陽イオン、陰イオン及びオゾンを生成させるイオン発生器（２０）と、
前記イオン発生器（２０）を通過した空気を室内に供給するための数個の空気分配孔（２１）をフレーム（２）に形成したことを特徴とする植物を用いた空気浄化器。
【請求項２】
前記棚（３）はフレーム（２）に螺旋状に数個が多段配置されたことを特徴とする請求項１記載の植物を用いた空気浄化器。
【考案の詳細な説明】
【技術分野】
【０００１】
本考案は主に室内の空気を植物を用いて浄化すると共に湿度及び照度を自動に調節して自然環境に近い植物の生長環境を組成し、その植物から発生する人体に有益な陽イオン、陰イオン及びオゾンを供給できるなど、多数の利点を提供する植物を用いた空気浄化器に関する。
【背景技術】
【０００２】
通常、室内の空気を浄化するために空気浄化器を使用しているが、このような空気浄化器は室内空気をフィルターを介して流入させた後、抗菌処理などを行って室内に再度供給するものであって、長時間使用したとき、フィルターが汚染されて空気浄化能力が低下し、かつ室内に酸素など人体に有益な成分などを供給する能力はなかった。
【０００３】
一方、実用新案文献１には植物の浄化作用を行う浄化装置に関する技術が開示されており、これは人造植物を植木鉢に設け、人造植物が行えない光合成機能及び空気浄化、湿度調節などのために別途の加湿器、集塵機、陰イオン発生器、オゾン発生器及び超音波発振器が収容されたものである。しかし、このような先行技術は植物自体の空気浄化機能が提供されることができず、現代衛生学で要求する人体に最も効率的な物理、化学的構成を有する生きている空気を作ることができないという問題点があった。
【特許文献１】韓国実用新案登録第２５４１４８号
【考案の開示】
【考案が解決しようとする課題】
【０００４】
本考案は、室内の汚染された空気を植物群から生産される生きている空気に変え、湿度と酸素活性度等を人体に最適の水準にすることができる植物を用いた空気浄化器を提供することを目的とする。
【課題を解決するための手段】
【０００５】
本考案の植物を用いた空気浄化器は中空型フレームの外面に多数個の棚を設けて各種植物を栽培できるように植木鉢が載置されるパレットを備え、前記パレット上に水筒から水を湿度センサにより自動供給させ、パレットに給水された水は下部に隣接して設けられるパレットに自然落水され得るようにし、フレーム上部には照度センサにより作動制御される光照射器を設けて反射鏡を介して植物に間接的に光が照射されるようにし、また室内空気をフィルタリングしてイオン発生器を介して陽イオン、陰イオン及びオゾンを供給するようにしたことを特徴とする。
【考案の効果】
【０００６】
以上のような本考案の植物を用いた空気浄化器は、植物の光合成作用により、汚染された室内空気を浄化し、空気中の湿度、酸素濃度とフィトンチッドの飽和度を高めることができる他、空気中に(陽、陰)イオン及びオゾンなどを供給することで、室内環境を快適な自然状態にすることができる、非常に有用な考案である。
【考案を実施するための最良の形態】
【０００７】
本考案の植物を用いた空気浄化器１は図１乃至図３に示されたように実施される。
【０００８】
これは円筒形又は四角形など多様な形状のパイプのように中空型でなるフレーム２の外周面に多数個の棚３を螺旋状に設け、前記棚３には（多様な熱帯及び水耕）植物４を栽培できるように植木鉢５を有するパレット６を載置固定する。
【０００９】
また前記植木鉢５が設けられたパレット６上に水を供給できるように水筒７をフレーム２下部に設けて供給管８を介して水筒７の内部に貯水された水がポンプ９のポンピング作動により最上端のパレット６に供給される。
【００１０】
前記水筒７は外部から水が自動に供給断続されるように水位センサ１０を備える。前記水筒７には図面には示していないが、水中の有害細菌などを殺菌できる殺菌装置を付加的に設けることが好ましい。
【００１１】
フレーム２の最上端のパレット６に給水された水は螺旋形で設けられた多数個のパレット６上に自然落下方式により下部に給水され得るように落水管１１を上下隣接するパレット６に配管設置する。
【００１２】
最下端に設けられたパレット６から配管された落水管１１は前記水筒７に回収できるようにする。
【００１３】
またフレーム２の上部には電灯傘のように外端部が円弧状に下向き傾斜した反射鏡１２を設け、前記反射鏡１２の下部には数個の光照射器１３を取り付ける。また反射鏡１２の下部には光照射器１３から照射された光源が植物４に直接的に照射されないように反射鏡１４を設ける。
【００１４】
前記上部の反射鏡１２には光照射器１３の作動時に発生する熱を効果的に放熱するための放熱孔１５が形成される。
【００１５】
フレーム２の上端部には室内照度をセンシングすることができる照度センサ１６と湿度をセンシングすることができる湿度センサ１７がそれぞれ設けられ、中空円筒形でなるフレーム２の上部には空気中の異物をフィルタリングすることができるエアフィルター１８を設けて室内空気をフレーム２の内側上部に設けられた吸入ファン１９を介して流入できるようにする。
【００１６】
吸入ファン１９を介して流入された空気は、フレーム２の内部に設けられたイオン発生器２０を経由して、陽イオン、陰イオン及びオゾン(０．１ｐｐｍ以下)をフレーム２の下部方向に形成された多数の空気分配孔２１を介して室内に供給し、植物に直接伝達させることができるようにする。
【００１７】
また、フレーム２の一側にはコントローラ２２を設けて、前記水位センサ１０及び照度センサ１６、湿度センサ１７がセンシングする信号に応じて、あらかじめ定めた範囲でポンプ９、光照射器１３、吸入ファン１９、イオン発生器２０を駆動制御させる。
【００１８】
前記のように構成される本考案の植物を用いた空気浄化器１は、室内の空気を浄化しようとするときに使用するものであって、この作用などを以下により詳しく説明する。
【００１９】
コントローラ２２で室内湿度及び照度、稼動時間などを設定した後、空気浄化器１を稼動させる。設定された湿度及び照度に応じて空気浄化器１が稼動されるが、室内湿度を湿度センサ１７がセンシングしてポンプ９が稼動される。ポンプ９が稼動すると、水筒７に貯水された水が供給管８を介してフレーム２の最上端に設けられているパレット６にポンピングが行われ、最上端のパレット６の下部に隣接して設けられたパレット６の間には水が自然落水され得るように落水管１１が連結配管されており、給水された水はフレーム２上に上下螺旋状で配置されたパレット６を全て経由しながら下部の水筒７に再度戻される。
【００２０】
水筒７に水が前記のように循環されるとき、パレット６上に設けられた植木鉢５の植物４に水を給水して植物４の成長を促進し、給水された水は空気中に蒸発されて、水筒７の水位が低くなると、これを水位センサ１０が感知して外部から自動に水が給水されるようになり、水筒７は常に一定な水量の貯水状態が保持される。
【００２１】
さらに、日光などにより室内の光量が充分であるときは、植物４は自然光で光合成作用し、二酸化炭素を吸収して酸素を放出し、光量が足りないときは、これを照度センサ１６が感知して光照射器１３を稼動させる。
【００２２】
フレーム２の上部に設けられた光照射器１３から発散された光は反射鏡１２を介してフレーム２の下部に照射されるが、植物４に直接的に光が照射されないように、光照射器１３の下部に設けられた反射鏡１４を介して再度上部反射鏡１２に反射された後、下部に光を照射して植物４の成長に効果的な光域帯で光を植物４に散乱させる。光照射器１３の作動で発散された熱は、反射鏡１２に形成された数個の放熱孔１５を介して上部に放出される。
【００２３】
また室内空気は、吸入ファン１９の稼動によりエアフィルター１８を介してフィルタリングされた空気がフレーム２の内部に吸入されてイオン発生器２０を経由しながら陽イオン、陰イオン及びオゾンが生成され、フレーム２に形成された数個の空気分配孔２１を介して室内に供給される。これにより、物理、化学的に自然状態に近い湿度保持及び最適状態の酸素飽和度を保持して、生医学的な観点で人体にアトピー疾患の予防治療、かぜの予防など、環境性疾患を根本的に予防治療することができるものである。
【産業上の利用可能性】
【００２４】
本考案の植物を用いた空気浄化器は、室内の空気を浄化する用途として空気浄化器と調和させて、関連産業の一層の発展に寄与することができる。
【図面の簡単な説明】
【００２５】
【図１】本考案の好ましい一実施例を示す断面構成図。
【図２】本考案の要部を抜粋した拡大断面図。
【図３】本考案の電気的な回路構成を示すブロック図。
【符号の説明】
【００２６】
１  空気浄化器
２  フレーム
３  棚
４  植物
５  植木鉢
６  パレット
７  水筒
８  供給管
９  ポンプ
１０  水位センサ
１１  落水管
１２  反射鏡
１３  光照射器
１４  反射鏡
１５  放熱孔
１６  照度センサ
１７  湿度センサ
１８  エアフィルター
１９  吸入ファン
２０  イオン発生器
２１  空気分配孔
２２  コントローラ
【図１】
0003145848.tif 000003
【図２】
0003145848.tif 000004
【図３】
0003145848.tif 000005